(57)【特許請求の範囲】
【請求項１】
書類等板状物品を書類クリップを利用してバインダーの保持リングに綴じ込む為のバインダー用綴じ具であって、
バインダーの保持リングに対応した穴列と、
前記穴列に隣接して、前記書類クリップの一部が厚さ方向に通過する書類クリップ取付用通過口と、
前記書類クリップ用通過口を通過する前記書類クリップに対して、前記穴列の直角方向に係合するクリップ受部を備え、
薄板を折り曲げて、２層にした主体部に対して、折り曲げた山側と平行となる様に、前記穴列を形成する
ことを特徴とするバインダー用綴じ具。
【請求項２】
請求項１において、
前記クリップ受部に書類クリップを前記書類クリップ取付用通過口に挿入する為の挿入部を設けたことを特徴とするバインダー用綴じ具。
【請求項３】
請求項１において、
前記通過口と連続して、前記通過口を前記穴列の列方向側に拡張して、書類クリップを取付ける時に使用する導入拡張部を設けたことを特徴とするバインダー用綴じ具。
【請求項４】
請求項１から３のいずれかにおいて、
前記通過口内部の穴列側に、前記穴列の直角方向に突出する突起部を設けたことを特徴とするバインダー用綴じ具。
【請求項５】
請求項１において、
前記主体部において前記薄板の折り曲げた山側に前記穴列を形成し、前記折り曲げた山側の反対側に前記クリップ受部を形成し、前記クリップ受部側で重なる２層の前記薄板の間隔を広げたことを特徴とするバインダー用綴じ具。
【請求項６】
請求項５において、
前記薄板の間隔を、前記書類クリップの背板の幅より大きくすることを特徴とするバインダー用綴じ具。
【請求項７】
請求項６において、
前記主体部を側面から視た場合にＶ字形状となることを特徴とするバインダー用綴じ具。
【請求項８】
書類等板状物品を書類クリップを利用してバインダーの保持リングに綴じ込む為のバインダー用綴じ具であって、
バインダーの保持リングに対応した穴列と、
前記穴列に隣接して、前記書類クリップの一部が厚さ方向に通過する書類クリップ取付用通過口と、
前記書類クリップ用通過口を通過する前記書類クリップに対して、前記穴列の直角方向に係合するクリップ受部を備え、
前記通過口内部の穴列側に、前記穴列の直角方向に突出する突起部を設けたことを特徴とするバインダー用綴じ具。
【発明の詳細な説明】
【技術分野】
【０００１】  本発明は、任意の複数のコピー紙や冊子など書類等板状物品（以後書類と表記）を、綴じ穴を開ける事無く、多穴型バインダーに容易に綴じ込み取り外しが出来るバインダー用綴じ具に関する。
【背景技術】
【０００２】  現状では、書類を多穴型バインダーに綴じるには、書類にバインダーの保持リングに対応した綴じ穴を開けて、バインダーに綴じていた。
【発明の開示】
【発明が解決しようとする課題】
【０００３】  綴じ穴を有しない書類を、分類別に整理する為に多穴型バインダーに綴じるには、書類にバインダーの保持リングに対応した数の綴じ穴を開けなければならない問題があった。【０００４】  本発明は、このような従来の問題を解決しようとするもので、書類に綴じ穴をあける事なく多穴型バインダーに綴じる事を目的とするものである。
【発明が解決するための手段】
【０００５】  バインダーの保持リングに対応した穴列と、前記穴列に隣接して、書類クリップ取付用通過口を設け、前記通過口に書類クリップの一例であるダブルクリップを挿入し係合して、前記ダブルクリップに書類をクランプし、バインダーの保持リングに前記穴列を利用し装着して、綴じ穴を有しない書類をバインダーに綴じる。
【発明を実施するための最良の形態】
【０００６】  以下、本発明を実施の形態として一実施例を図１から図２６を用いて説明する。
図１で示すバインダー用綴じ具１は、薄板材にバインダー５の保持リング５１に対応した穴列２１と、前記穴列２１に隣接して、前記書類クリップの一部が厚さ方向に通過する書類クリップ取付用通過口２２と、前記書類クリップ用通過口２２を通過する前記書類クリップに対して、前記穴列２１の直角方向に係合するクリップ受部２３を備えたＩ型主体部１０である。【０００７】  図２は、図１のＩ型主体部１０の通過口２２に書類クリップの一例であるダブルクリップ３を挿入係合して、図１６から図１９に示すようにダブルクリップ３に書類４をクランプしてバインダー５に綴じ込む準備完了となったバインダー用綴じ具１である。
図３は図２の側面図である。【０００８】図４に示すバインダー用綴じ具１の一主体部であるＡ型主体部１１は、薄板を折り曲げて、２層にしたＡ型主体部１１の両面に対し、折り曲げ辺２７である山側と平行となる様に、バインダー５の保持リング５１に対応した前記穴列２１と、前記穴列２１に隣接して、前記書類クリップの一部が厚さ方向に通過する書類クリップ取付用通過口２２と、前記書類クリップ用通過口２２を通過する前記書類クリップに対して、前記穴列２１の直角方向に係合するクリップ受部２３を備えたＡ型主体部１１である。【０００９】図５は、図４の通過口２２に書類クリップの一例であるダブルクリップ３の一部を厚さ方向に通過させて、前記穴列２１の直角方向に係合させて、図１６から図１９に示すようにダブルクリップ３に書類４をクランプしてバインダー５に綴じ込む準備完了となったＡ型主体部１１型のバインダー用綴じ具１でる。
図６は、書類をバインダーに綴じ込む準備完了となった図５のＡ−Ａ線断面図である。【００１０】図７から図９は、バインダー用綴じ具１の一主体部であるＡ型主体部１１のクリップ受部２３にダブルクリップ３を係合する手順を示す。
▲１▼図７に示すように、Ａ型主体部１１の２層を合わせた通過口２２に、ダブルクリップ３の杷手部３４の片方を挿入し挟持板３２を左右に開き挟持部３１まで挿入する。
▲２▼図８のように、Ａ型主体部１１を、ダブルクリップ３の背板３３の部分まで移動する。
▲３▼図９は、２層の合わせを開放した時、Ａ型主体部１１が弾性薄板材の場合、Ｖ字の折曲げ角度に復帰した状態を示す。前記折り曲げ角度を大きくして、前記クリップ受部側２３で重なる２層の前記弾性薄板材の間隔をダブルクリップ３の背板３３の幅より大きくすると、Ａ型主体部１１がダブルクリップ３に弾性復元力により密着して安定した装着となる効果がある。【００１１】図１０に示すバインダー用綴じ具１の一主体部であるＢ型主体部１２は、薄板を折り曲げて、２層にしたＢ型主体部１２の両面に対し、折り曲げ辺２７である山側と平行となる様に、バインダー５の保持リングに対応した前記穴列２１と、前記穴列２１に隣接して、前記書類クリップの一部が厚さ方向に通過する書類クリップ取付用通過口２２と、前記書類クリップ用通過口２２を通過する前記書類クリップに対して、前記穴列２１の直角方向に係合するクリップ受部２３と、前記クリップ受部２３に書類クリップを前記書類クリップ取付用通過口２２に挿入する為の挿入部２４と、前記通過口２２と連続して、前記通過口２２を前記穴列２１の列方向側に拡張して、書類クリップを取付ける時に使用する導入拡張部２５と、通過口２２内部の穴列２１側に、前記穴列２１の直角方向に突出するダブルクリップ３を安定して保持する為の突起部２６を設けたＢ型主体部１２型のバインダー用綴じ具１である。
図１１は、Ｂ型主体部１２型のバインダー用綴じ具１の図１０におけるＢ−Ｂ線断面図である。【００１２】図１２から図１４は、バインダー用綴じ具１の一主体部であるＢ型主体部１２のクリップ受部２３にダブルクリップ３を係合する手順を示す。
▲１▼図１２で示すように、ダブルクリップ３をＢ型主体部１２の挿入部２４より差込み通過口２２内の導入拡張部２５の部分まで挿入する。
▲２▼図１３に示すように、ダブルクリップ３を穴列２１に平行に成るようにする。
▲３▼図１４に示すように、クリップ受部２３に載せる事で、Ｂ型主体部１２とダブルクリップ３が組上り、書類をクランプしてバインダーに綴じ込む準備完了となったＢ型主体部１２型のバインダー用綴じ具１となる。
図１５は、書類を綴じ込む準備完了となったＢ型主体部１２型のバインダー用綴じ具１の図１４におけるＣ−Ｃ線断面図である。【００１３】図１６は、前記書類綴じ込む準備完了となったＢ型主体部１２型のバインダー用綴じ具１のダブルクリップ３に書類４をクランプした斜視図であり、
図１７は、前記書類綴じ込む準備完了となったＢ型主体部１２型のバインダー用綴じ具１のダブルクリップ３に書類４をクランプした図１６におけるＤ−Ｄ線断面図である。【００１４】図１８は、前記書類綴じ込む準備完了となったバインダー用綴じ具１のダブルクリップ３を２組書類４にクランプしたバインダーに綴じ込む直前の図である。【００１５】図１９は、図１８で示すＢ型主体部１２型の穴列２１をバインダー５の保持リング５１に通す事で、書類４をバインダ５に綴じ込むことを示す図である。【００１６】図１０に示す突起部２６は、図１９に示すようにダブルクリップ３に書類４をクランプして、バインダー５の保持リング５１に綴じて使用中に、前記書類４の動きでダブルクリップ３が穴列２１の方向に動いた時、図１５で示すダブルクリップ３の背板３３が、図１３で示すように突起部２６に当り動きを止めることが出来、ダブルクリップ３の動きが抑制される効果がある。【００１７】図１０と図１１に示すＢ型主体部１２を弾性薄板材をＶ字に折り曲げて製作して、図１４、図１５に示すように一書類クリップであるダブルクリップ３を装着した時、Ｂ型主体部１２の折り曲げ角度を大きくして、前記クリップ受部側２３で重なる２層の前記弾性薄板材の間隔をダブルクリップ３の背板３３の幅より大きくすると、Ｂ型主体部１２がダブルクリップ３に弾性復元力により密着して安定した装着となる効果がある。【００１８】  図２０は、図５で示すダブルクリップ３の杷手部３４を持たない一書類クリップであるＡ型クリップ６を示す。【００１９】図２１、図２２に示すように［００１２］説明と同様の手順で、Ｂ型主体部１２とＡ型クリップ６が組上り、書類をクランプしてバインダー５に綴じ込む準備完了となったＢ型主体部１２型のバインダー用綴じ具１となる。【００２０】図２３は、前記書類綴じ込む準備完了となったＢ型主体部１２型のバインダー用綴じ具１のＡ型クリップ６に書類４をクランプしたバインダーに綴じ込む直前の斜視図であり、
図２４は、Ａ型クリップ６に書類４をクランプしたバインダーに綴じ込む直前の図２３におけるＥ−Ｅ線断面図である。【００２１】図２３に示すＡ型クリップ６に書類４をクランプした斜視図に至る手順を示す、
▲１▼図１９を例に、前記書類綴じ込む準備完了となったバインダー用綴じ具１の書類クランプを書類４への取付位置を確認して置く。
▲２▼前記取付位置にＡ型クランプを専用取付具等を使用して書類４に取り付ける。
▲３▼図２１に示すようにＢ型主体部１２をＡ型クリップ６に挿入して、図２２に示すようにクリップ受部２３に載せる事で、Ｂ型主体部１２とＡ型クリップ６が組上りバインダーに綴じ込む直前の図２３となる。【００２２】  図２５で示すＣ型主体部１３は、図１０に示すＢ型主体部１２のダブルクリップ３を安定して保持する為の突起部２６を持たないがＢ型主体部１２と同様に機能する。【００２３】  図２６で示すＤ型主体部１４は、図１０に示すＢ型主体部１２の穴列２１の穴形状が異なるがＢ型主体部１２と同様に機能する。
【発明の効果】
【００２４】  本発明のバインダー用綴じ具は、バインダーの保持リングに対応する穴列と書類クリップを着脱可能に装着できる通過口を有する主体部に、書類等を把持する書類クリップを装着して、綴じ穴を有しない書類等板状物品を、綴じ穴を開けずに、バインダーの保持リングに綴じ込むことが出来る。
【実施例】
【００２５】図１同様に図４、図１０、図２５、図２６が本発明の実施例である。
【図面の簡単な説明】
【００２６】
【図１】本発明の一実施例で、Ｉ型主体部を示す平面図
【図２】同Ｉ型主体部にダブルクリップを装着したことを示す平面図
【図３】同Ｉ型主体部にダブルクリップを装着した図２の側面図
【図４】本発明の一実施例で、Ａ型主体部を示す平面図
【図５】同Ａ型主体部にダブルクリップを装着したことを示す平面図
【図６】同Ａ型主体部の図５におけるＡ−Ａ線断面図
【図７】本発明の一実施例で、Ａ型主体部にダブルクリップを装着途中の側面図
【図８】本発明の一実施例で、Ａ型主体部にダブルクリップを装着途中の側面図
【図９】本発明の一実施例で、Ａ型主体部にダブルクリップを装着完了の側面図
【図１０】本発明の一実施例で、Ｂ型主体部を示す平面図
【図１１】同Ｂ型主体部の図１０におけるＢ−Ｂ線断面図
【図１２】本発明の一実施例で、Ｂ型主体部にダブルクリップを装着途中の側面図
【図１３】本発明の一実施例で、Ｂ型主体部にダブルクリップを装着途中の側面図
【図１４】本発明の一実施例で、Ｂ型主体部にダブルクリップを装着完了の側面図
【図１５】同Ｂ型主体部にダブルクリップを装着した図１４におけるＣ−Ｃ線断面図
【図１６】同Ｂ型主体部にダブルクリップを装着し書類をクランプした斜視図
【図１７】同Ｂ型主体部の図１６におけるＤ−Ｄ線断面図
【図１８】本発明の一実施例で、書類をバインダーに綴じる為の準備を示す平面図
【図１９】本発明の一実施例で、書類をバインダーに綴じ込み完了を示す平面図
【図２０】杷手部を持たないー書類クリップであるＡ型クリップの斜視図
【図２１】本発明の一実施例で、Ｂ型主体部に杷手部を持たないＡ型クリップを装着途中を示す平面図
【図２２】同Ｂ型主体部に杷手部を持たないＡ型クリップを装着完了を示す平面図
【図２３】同Ｂ型主体部に杷手部を持たないＡ型クリップに書類をクランプしたことを示す斜視図
【図２４】同Ｂ型主体部の図２３におけるＥ−Ｅ線断面図
【図２５】本発明の一実施例で、通過口が異なるＣ型主体部を示す平面図
【図２６】本発明の一実施例で、穴列が異なるＤ型主体部を示す平面図
【符号の説明】
【００２７】１バインダー用綴じ具
３ダブルクリップ
４書類
５バインダー
６Ａ型クリップ
１０Ｉ型主体部
１１Ａ型主体部
１２Ｂ型主体部
１３Ｃ型主体部
１４Ｄ型主体部
２１穴列
２２通過口
２３クリップ受部
２４挿入部
２５導入拡張部
２６突起部
２７折り曲げ辺
３１挟持部
３２挟持板
３３背板
３４杷手部
５１保持リング
【要約】
【課題】書類等板状物品を書類クリップを利用してバインダーの保持リングに綴じ込む為のバインダー用綴じ具を提供する。
【解決手段】バインダーの保持リングに対応した穴列と、前記穴列に隣接して、書類クリップ取付用通過口を設け、前記通過口に書類クリップの一例であるダブルクリップを挿入し係合して、前記ダブルクリップに書類をクランプし、バインダーの保持リングに前記穴列を利用し装着して、書類等板状物品をバインダーに綴じる。
【選択図】図１０【図１】
0005768279.tif 000002
【図２】
0005768279.tif 000003
【図３】
0005768279.tif 000004
【図４】
0005768279.tif 000005
【図５】
0005768279.tif 000006
【図６】
0005768279.tif 000007
【図７】
0005768279.tif 000008
【図８】
0005768279.tif 000009
【図９】
0005768279.tif 000010
【図１０】
0005768279.tif 000011
【図１１】
0005768279.tif 000012
【図１２】
0005768279.tif 000013
【図１３】
0005768279.tif 000014
【図１４】
0005768279.tif 000015
【図１５】
0005768279.tif 000016
【図１６】
0005768279.tif 000017
【図１７】
0005768279.tif 000018
【図１８】
0005768279.tif 000019
【図１９】
0005768279.tif 000020
【図２０】
0005768279.tif 000021
【図２１】
0005768279.tif 000022
【図２２】
0005768279.tif 000023
【図２３】
0005768279.tif 000024
【図２４】
0005768279.tif 000025
【図２５】
0005768279.tif 000026
【図２６】
0005768279.tif 000027